(57)【要約】【課題】容器内部に空間部と水素吸蔵・吸着材料とを有するハイブリッド型水素貯蔵タンクの水素充填状態（水素貯蔵状態）を理解しやすく表示する。【解決手段】水素残量表示装置の表示部上に、空間部に充填されている空間部水素ガス残量Ｒｓを表示する空間部水素残量表示部ＳＤと、水素吸蔵・吸着材料に貯蔵されている材料部水素残量Ｒｍを表示する材料部水素残量表示部ＭＤを独立して設け分離して表示するようにしているので、ユーザ等に対してそれぞれを別々に認識させることができる。【選択図】図５
2008106817.tif 000002
【特許請求の範囲】
【請求項１】
容器内部に水素吸蔵・吸着材料と空間部とを有し、前記水素吸蔵・吸着材料に水素が貯蔵されるとともに前記空間部に高圧の水素ガスが充填される水素貯蔵タンク用の水素残量表示装置であって、
表示部を備え、
前記表示部上に、前記空間部に充填されている水素ガスの残量を表示する空間部水素残量表示部と、前記水素吸蔵・吸着材料に貯蔵されている水素の残量を表示する材料部水素残量表示部を設ける
ことを特徴とする水素残量表示装置。
【請求項２】
請求項１記載の水素残量表示装置において、
さらに、前記水素貯蔵タンクに前記水素ガスが急速充填されている間、及び急速充填の終了時には、前記表示部上に、前記水素吸蔵・吸着材料には新たに水素が貯蔵されていないことを表示する
ことを特徴とする水素残量表示装置。
【請求項３】
請求項２記載の水素残量表示装置において、
さらに、前記水素ガスの急速充填終了時からの所定時間を計時する計時手段を備え、
前記計時手段が前記所定時間の経過を計時した後に、前記水素ガスの急速充填時に前記空間部に充填された水素ガスが前記水素吸蔵・吸着材料に吸蔵・吸着されて貯蔵されたことを、前記表示部上に表示する
ことを特徴とする水素残量表示装置。
【請求項４】
請求項１〜３のいずれか１項に記載の水素残量表示装置において、
前記表示部上に、さらに、前記水素貯蔵タンクの水素残量に基づく航続可能距離を表示する航続可能距離表示部を設ける
ことを特徴とする水素残量表示装置。
【請求項５】
請求項１〜４のいずれか１項に記載の水素残量表示装置において、
前記空間部に充填されている水素ガスの残量を表示する空間部水素残量表示部による残量表示が所定残量表示より少なくなったときに、前記表示部上に水素ガスの再充填を促す表示をする
ことを特徴とする水素残量表示装置。
【請求項６】
請求項１〜５のいずれか１項に記載の水素残量表示装置において、
前記水素吸蔵・吸着材料に貯蔵されている水素の残量を表示する前記材料部水素残量表示部による残量表示が所定残量表示より少なくなったときに、前記表示部上に水素ガスの再充填が必要であることの表示をする
ことを特徴とする水素残量表示装置。
【発明の詳細な説明】
【技術分野】
【０００１】
この発明は、容器内部に水素吸蔵・吸着材料と空間部とを有し、前記水素吸蔵・吸着材料に水素が貯蔵されるとともに前記空間部に高圧の水素ガスが充填される水素貯蔵タンク用の水素残量表示装置に関し、例えば燃料電池車両のダッシュボード等に装着して好適な水素残量表示装置に関する。
【背景技術】
【０００２】
例えば、水素と酸素の電気化学反応により発電する燃料電池が組み込まれた燃料電池車両においては、前記燃料電池に燃料としての水素ガスを供給するために、高圧の水素ガスが貯蔵された水素貯蔵タンクが搭載される。
【０００３】
特開２００５−２４０８５４号公報（特許文献１）には、水素貯蔵タンク用の燃料残量表示装置が提案されている。この特許文献１に開示された燃料残量表示装置では、温度センサと圧力センサの検出値に基づいて計算された残量が表示され、水素貯蔵タンクが満タン、例えば３５［ＭＰａ］のときに指針がフルスケールの「Ｆ」を指し、水素貯蔵タンクの圧力が供給下限圧力（又は０．１［ＭＰａ］）のときに空の「Ｅ」を指すように表示するようにされている。
【０００４】
特開２００５−２７４７６号公報（特許文献２）には、水素貯蔵タンク及び燃料電池の他、この燃料電池で発生された電気を蓄電する蓄電装置が搭載され、この蓄電装置と前記燃料電池とから車輪を駆動するモータに電気が供給されることで走行する燃料電池車両の航続可能距離を、前記水素貯蔵タンクの水素残量と前記蓄電装置の蓄電残量とに基づいて算出し表示器上に表示する燃料電池車両が提案されている。
【０００５】
特開２００４−２８６１７８号公報（特許文献３）には、水素貯蔵タンクの形態例として、タンク内部に水素吸蔵・吸着材料と空間部とを有し、前記水素吸蔵・吸着材料に水素が貯蔵されるとともに前記空間部に高圧の水素ガスが充填される水素貯蔵タンク（以下、ハイブリッド型水素貯蔵タンクともいう。）が提案されている。
【０００６】
【特許文献１】特開２００５−２４０８５４号公報（［００１９］、［００３６］、図２）
【特許文献２】特開２００５−２７４７６号公報（［００１３］）
【特許文献３】特開２００４−２８６１７８号公報（図１）
【発明の開示】
【発明が解決しようとする課題】
【０００７】
水素吸蔵・吸着材料は、水素ガスを加圧することにより水素を吸蔵・吸着し、この吸蔵・吸着時には発熱する一方、水素ガスを減圧することにより水素を放出し、この放出時には吸熱する。したがって、加圧しながら冷却することにより水素の吸蔵・吸着が継続され、減圧しながら加温することにより水素の放出が継続される。
【０００８】
ところで、満タンの充填圧力（満充填圧力）が３５［ＭＰａ］のハイブリッド型水素貯蔵タンクに５〜１０分程度の時間で水素充填が終了するような急速充填を行うと、容器内部に水素ガスが充填されて圧力が上昇することにより断熱圧縮効果による温度上昇が発生し、容器内部の温度が上昇する。
【０００９】
水素ガスの充填中に容器内部の温度が上昇すると、容器内部に収容されている水素吸蔵・吸着材料への水素の吸蔵・吸着反応が停止してしまい、水素ガスは水素吸蔵・吸着材料に吸蔵・吸着されることがなく空間部に充填されつづけ、充填圧力が３５［ＭＰａ］となった時点で充填が終了する。
【００１０】
充填終了後、時間の経過とともに容器内部の温度が低下していくと、水素吸蔵・吸着材料の温度も低下して高圧の水素ガスが次第に水素吸蔵・吸着材料に吸蔵・吸着されていくようになる。この結果、急速充填終了時には３５［ＭＰａ］の充填圧力であったものが、３５［ＭＰａ］より低い値、例えば３０［ＭＰａ］に低下してしまう。
【００１１】
このため、上記した特許文献１に開示された従来技術に係る水素貯蔵タンク用の燃料残量表示装置を利用して、ハイブリッド型水素貯蔵タンクの水素残量を表示した場合、充填終了時には、フルスケールの満充填を表示していたのに、時間が経過するとハイブリッド型水素貯蔵タンクの圧力が減少してあたかも水素ガスが消費されている、あるいは漏れているかのようにフルスケールの満充填から水素が減少した表示をすることになる。
【００１２】
なお、容器内部の空間部に水素ガスが充填されているハイブリッド型水素貯蔵タンクでは、水素を燃料電池で消費する際、はじめに空間に充填されている水素ガスから燃料電池により消費され、空間に充填されている水素ガスが消費されてから水素吸蔵・吸着材料に貯蔵された水素が放出されて消費が開始される設定が一般的である。
【００１３】
以上説明した、容器内部に空間部と水素吸蔵・吸着材料とを有するハイブリッド型水素貯蔵タンクの現象・挙動は、高圧水素ガスのみを耐圧容器に充填した水素貯蔵タンクの場合やガソリンタンクの場合には、存在しない現象・挙動であり、一般ユーザにとって、水素残量表示装置上でハイブリッド型水素貯蔵タンクの水素充填状態が理解しにくいことが懸念される。
【００１４】
この発明はこのような課題を考慮してなされたものであり、容器内部に空間部と水素吸蔵・吸着材料とを有するハイブリッド型水素貯蔵タンクの水素充填状態（水素貯蔵状態）を理解しやすく表示することを可能とする水素残量表示装置を提供することを目的とする。
【課題を解決するための手段】
【００１５】
この発明に係る水素残量表示装置は、容器内部に水素吸蔵・吸着材料と空間部とを有し、前記水素吸蔵・吸着材料に水素が貯蔵されるとともに前記空間部に高圧の水素ガスが充填される水素貯蔵タンク用の水素残量表示装置であって、以下の特徴（１）〜（６）を備える。
【００１６】
（１）表示部を備え、前記表示部上に、前記空間部に充填されている水素ガスの残量を表示する空間部水素残量表示部と、前記水素吸蔵・吸着材料に貯蔵されている水素の残量を表示する材料部水素残量表示部を設けることを特徴とする。
【００１７】
この発明によれば、高圧水素ガスとして充填されている高圧水素ガス残量（水素ガス残量ともいう。）を空間部水素残量表示部に表示する一方、水素吸蔵・吸着材料に貯蔵された水素の残量を材料部水素残量表示部に独立（分離）して表示するようにしているので、ユーザ等に対してそれぞれ独立に認識させることができる。
【００１８】
すなわち、ユーザ等は、空間部の水素ガス残量と、水素吸蔵・吸着材料の水素残量とを独立して認識できることから、例えば高圧水素ガスを全量消費して水素吸蔵・吸着材料に貯蔵された水素の消費が開始される前に、水素の急速充填を行うことを考慮することができる。この結果、水素の急速充填を行う場合においても容器内部に水素吸蔵・吸着材料を含む水素貯蔵タンクを水素が満充填となる状態とすることができる。
【００１９】
（２）上記の特徴（１）を有する発明において、さらに、前記水素貯蔵タンクに前記水素ガスが急速充填されている間、及び急速充填の終了時には、前記表示部上に、前記水素吸蔵・吸着材料には新たに水素が貯蔵されていないことを表示することを特徴とする。
【００２０】
この発明によれば、ユーザ等は水素の急速充填時に水素吸蔵・吸着材料には水素が貯蔵されていないことを認識できる。換言すれば、容器内部に水素吸蔵・吸着材料を含む水素貯蔵タンクにおいては、空間部に水素ガスが満充填状態とされても水素貯蔵タンク全体として満充填された状態ではない場合があることを認識できる。
【００２１】
（３）上記の特徴（２）を有する発明において、さらに、前記水素ガスの急速充填終了時からの所定時間を計時する計時手段を備え、前記計時手段が前記所定時間の経過を計時した後に、前記水素ガスの急速充填時に前記空間部に充填された水素ガスが前記水素吸蔵・吸着材料に吸蔵・吸着されて貯蔵されたことを、前記表示部上に表示することを特徴とする。
【００２２】
この発明によれば、ユーザ等は、ハイブリッド型水素貯蔵タンク内の高圧水素ガスの圧力が減少しても、圧力減少分の水素が水素吸蔵・吸着材料に吸蔵・吸着されて貯蔵され、ハイブリッド型水素貯蔵タンク内に貯蔵されている全水素量が変化していないことを認識することができる。
【００２３】
（４）上記の特徴（１）〜（３）のいずれかを有する発明において、前記表示部上に、さらに、前記水素貯蔵タンクの水素残量に基づく航続可能距離を表示する航続可能距離表示部を設けることを特徴とする。
【００２４】
この発明によれば、ユーザ等は、充填終了時から所定時間が経過して水素残量表示が変化しても、航続可能距離が変化していないことを視認でき、ハイブリッド型水素貯蔵タンク内に貯蔵された水素残量が変化していないことを明確かつ容易に認識することができる。
【００２５】
（５）上記の特徴（１）〜（４）のいずれかを有する発明において、前記空間部に充填されている水素ガスの残量を表示する空間部水素残量表示部による残量表示が所定残量表示より少なくなったときに、前記表示部上に水素ガスの再充填を促す表示をすることを特徴とする。
【００２６】
この発明によれば、ユーザ等は、高圧水素ガスの全残量が消費されてしまい水素吸蔵・吸着材料に貯蔵されている水素の消費が開始される前に、水素の急速充填を行うことを考慮できる。
【００２７】
（６）上記の特徴（１）〜（５）のいずれかを有する発明において、前記水素吸蔵・吸着材料に貯蔵されている水素の残量を表示する前記材料部水素残量表示部による残量表示が所定残量表示より少なくなったときに、前記表示部上に水素ガスの再充填が必要であることの表示をすることを特徴とする。
【００２８】
この発明によれば、水素の残量が空になりつつあることをユーザに確実に認識させ、水素の再充填を強く促すことができる。
【発明の効果】
【００２９】
この発明によれば、高圧水素ガスとして充填されている高圧水素ガス残量（水素ガス残量ともいう。）を空間部水素残量表示部に表示する一方、水素吸蔵・吸着材料に貯蔵された水素残量を材料部水素残量表示部に独立（分離）して表示するようにしているので、ユーザ等に対して空間部中の水素残量と水素吸蔵・吸着材料中の水素残量をそれぞれ独立に認識させることができる。この結果、容器内部に空間部と水素吸蔵・吸着材料とを有するハイブリッド型水素貯蔵タンクの水素充填状態（水素貯蔵状態）を理解しやすくすることができる。
【発明を実施するための最良の形態】
【００３０】
以下、この発明の実施形態について図面を参照して説明する。
【００３１】
図１は、この発明の一実施形態に係る水素残量表示装置１２がダッシュボード（不図示）等に装着された燃料電池車両１０の構成を示すブロック図である。
【００３２】
水素残量表示装置１２は、液晶表示器等のディスプレイを有する表示部９６と、表示部９６での表示内容を制御する制御部９８とから構成されている。
【００３３】
燃料電池車両１０は、基本的には、上記の水素残量表示装置１２の他、燃料電池装置１４と、蓄電装置１６と、制御装置１８と、駆動モータ２０と、水素残量検知器２２と、蓄電残量検知器２３とから構成される。
【００３４】
燃料電池装置１４は、燃料電池２６と、この燃料電池２６に燃料としての水素を供給する水素貯蔵タンク３０と、外部の空気を取り込み酸化剤としての酸素を含む圧縮空気を燃料電池２６に供給する空気圧縮機等からなる空気供給源３２とから構成され、燃料電池２６は、供給される水素を燃料とし圧縮空気中の酸素を酸化剤として電気化学反応により電気を発生する。
【００３５】
蓄電装置１６は、二次電池であり、燃料電池２６で発生された電気を蓄電（充電）するとともに、減速時等において駆動モータ２０から回収される電気を蓄電する。
【００３６】
水素貯蔵タンク３０は、容器内部に、空間部３６と、専用容器に収容された状態で前記空間部３６と接する水素吸蔵合金（Ｍｅｔａｌ  Ｈｙｄｒｉｄｅｓ）等の水素吸蔵・吸着材料３４とを有し、空間部３６に図示しない水素充填口から高圧水素ガスが充填されると、所定条件下に、充填された高圧水素ガスが水素吸蔵・吸着材料３４に吸蔵・吸着される。
【００３７】
水素貯蔵タンク３０に貯蔵されている水素残量を検知するための水素残量検知器２２が設けられている。水素残量検知器２２は、水素貯蔵タンク３０の空間部３６の圧力と温度を計測する圧力計と温度計とともに、水素吸蔵・吸着材料３４の温度を計測する温度計並びに所定時間を計時する計時手段としてのタイマ３３を含んで構成される。
【００３８】
水素残量検知器２２は、前記圧力計により測定される空間部３６の圧力及び圧力変化と前記温度計により検出される空間部３６の温度と温度変化、並びに水素吸蔵・吸着材料２４の温度と温度変化に基づき、空間部３６の水素残量（水素質量）と水素吸蔵・吸着材料２４の水素残量（水素質量）とを所定の計算式により計算し、又はＲＯＭ等に予め記憶されている参照テーブル、いわゆるマップを検索して、空間部３６の水素残量（水素質量）と水素吸蔵・吸着材料２４の水素残量（水素質量）を求めて出力する。
【００３９】
水素残量検知器２２により検知された水素貯蔵タンク３０の空間部３６の水素残量（高圧水素ガス残量又は空間部水素ガス残量という。）Ｒｓと水素吸蔵・吸着材料２４の水素残量（材料部水素残量という。）Ｒｍとが水素残量表示装置１２の制御部９８に供給されるとともに、制御装置１８の水素残量航続可能距離算出部４２に供給される。
【００４０】
蓄電装置１６には、流入出する電流の量を検知することで蓄電残量（蓄電残量Ｒｑという。）を検知し制御装置１８の蓄電残量航続可能距離算出部４０及び水素残量表示装置１２の制御部９８に供給する蓄電残量検知器２３が設けられている。
【００４１】
制御装置１８は、燃料電池２６及び蓄電装置１６から供給される電力を制御して駆動モータ２０へ供給する電力制御部３８と、水素残量検知器２２により検知された水素残量Ｒａ（水素残量Ｒａ＝空間部水素ガス残量Ｒｓ＋材料部水素残量Ｒｍ）を航続可能距離に換算する水素残量航続可能距離算出部４２と、蓄電残量検知器２３により検知された蓄電残量Ｒｑを航続可能距離に換算する蓄電残量航続可能距離算出部４０と、これらを加算した航続可能距離（航続可能距離Ｄ）を水素残量表示装置１２へ供給する表示制御部４４とを備える。
【００４２】
水素残量表示装置１２の制御部９８は、この実施形態では、航続可能距離Ｄと水素残量Ｒａ（空間部水素ガス残量Ｒｓと材料部水素残量Ｒｍ）とに基づき表示部９６上に所定の表示をさせる動作を行う。
【００４３】
次に、上記実施形態に係る水素残量表示装置１２の制御部９８による表示部９６上への表示例について説明する。
【００４４】
第１実施例（第１表示例）の説明
この第１実施例に係る図２Ａ−図２Ｄ、図３Ａ−図３Ｇに示す各図は、水素貯蔵タンク３０内に貯蔵された水素残量Ｒａ（空間部水素ガス残量Ｒｓと材料部水素残量Ｒｍ）を模式的に示す説明図である。
【００４５】
図２Ｅ−図２Ｈ、図３Ｈ−図３Ｎに示すバーグラフ状の表示は、図２Ａ−図２Ｄ、図３Ａ−図３Ｇに示す各図の水素残量Ｒａにそれぞれ対応する水素残量表示装置１２の表示部９６上の表示を示す説明図である。
【００４６】
図２Ｅ−図２Ｈ、図３Ｈ−図３Ｎの各図中、水素残量表示部ＨＤは、左下がりハッチング領域（例えば、水色表示）とクロスハッチング領域（例えば、青色表示）で表示される空間部水素残量表示部（空間部水素ガス残量表示部又は高圧水素ガス残量表示部ともいう。）ＳＤと、右下がりハッチング領域（例えば、水色表示）が表示される材料部水素残量表示部ＭＤとが分離されて表示される。
【００４７】
図２Ｅ−図２Ｈ、図３Ｈ−図３Ｎの各図中、材料部水素残量表示部ＭＤの右側には、水素貯蔵タンク３０の供給下限圧力Ｅが表示されている。
【００４８】
このように、図２Ａ−図２Ｄ、図３Ａ−図３Ｇに示す水素残量Ｒａと、空間部水素ガス残量Ｒｓと、材料部水素残量Ｒｍは、それぞれ、図２Ｅ−図２Ｈ、図３Ｈ−図３Ｎに示す水素残量表示部ＨＤの表示と、空間部水素残量表示部ＳＤの表示と、材料部水素残量表示部ＭＤの表示とに対応している。以下、各対応関係について説明する。
【００４９】
図２Ａの「満充填状態」と説明している水素残量１００は、水素貯蔵タンク３０が、空間部３６に充填された空間部水素ガス残量Ｒｓと、水素吸蔵・吸着材料３４に貯蔵された材料部水素残量Ｒｍによって設定積載水素量が１００［％］満たされた状態、すなわち満充填（フル充填）状態となっていることを示している。
【００５０】
図２Ａの満充填状態に対応する図２Ｅの水素残量表示２００は、設定積載水素量が満充填状態であることを示している。この場合、太く表示している外枠は、実際上、青色であるが、この満充填状態を表す水素残量表示２００の下側には、航続可能距離Ｄ、ここでは、具体例として「５６０ｋｍ」を併せて表示している。
【００５１】
図２Ａに示す満充填状態の水素残量１００と図２Ｅに示す水素残量表示２００は、水素貯蔵タンク３０を高圧水素ガスで急速充填した後の所定時間経過後に、さらに高圧水素ガスを充填することによりなされる表示である。
【００５２】
なお、所定時間というのは、急速充填により空間部水素ガス残量Ｒｓが、設定最大圧力、例えば３５［ＭＰａ］になったとき（この時点で充填は一旦停止される。）から水素貯蔵タンク３０内の空間部３６の温度が常温付近まで低下し、高圧水素ガスが水素吸蔵・吸着材料２４に吸蔵・吸着されて貯蔵されるまでの時間をいう。この所定時間は、水素残量検知器２２内のタイマ３３により計時される。つまり、タイマ３３は、空間部３６が３５［ＭＰａ］の満充填状態となって高速充填が停止されたときから所定時間を計時する。
【００５３】
図２Ａ、図２Ｅの満充填状態になるまでの様子を、図２Ｂ−図２Ｄ、図３Ａ−図３Ｄ、図２Ｆ−図２Ｈ、図３Ｈ−図３Ｋを参照して説明する。
【００５４】
図２Ｂの「残量小」と説明している水素残量１０２は、空間部水素ガス残量Ｒｓの全量が消費され、さらに材料部水素残量Ｒｍも水素吸蔵・吸着材料３４に貯蔵された水素の一部が消費された水素貯蔵タンク３０内の状態を示している。
【００５５】
図２Ｆは、このときの水素貯蔵タンク３０内の水素残量表示２０２を示している。水素残量表示２０２において、残りの水素は、水素吸蔵・吸着材料３４に貯蔵された水素だけであることを示すために、間隔の狭い右下がりのハッチング領域で示しているが、実際上、表示色はオレンジ色にしている。同時に、航続可能距離が「４０ｋｍ」であり、「燃料充填が必要です。」という表示もしている。
【００５６】
図２Ｃの「急速充填中−１」と説明している水素残量１０４は、図２Ｂの状態から急速充填が開始され水素が空間部３６に高圧水素ガスとして貯蔵され、水素吸蔵・吸着材料３４には水素の貯蔵がなされていない状態を示している。
【００５７】
図２Ｇの水素残量表示２０４は、空間部水素残量表示部ＳＤの領域において、水素の充填につれて空間部水素ガス残量Ｒｓが増加している状態を、左下がりハッチング領域が図中、矢印で示す左方向に増加することで表示するとともに、水素吸蔵・吸着材料３４には水素が貯蔵されていないことをユーザに認識させるために、材料部水素残量表示部ＭＤを低速で点滅させている（実際上は、水色と白色の繰り返し表示）。なお、図２Ｇの空間部水素残量表示部ＳＤ中に描いている矢印は、説明のためのものであって、実際には、表示部９６上に表示されないが表示するようにしてもよい。
【００５８】
図２Ｄの「急速充電中−２」と説明している水素残量１０６は、急速充電が継続され水素が空間部３６に高圧水素ガスとして貯蔵されて、水素吸蔵・吸着材料３４には貯蔵されていない状態を示している。
【００５９】
図２Ｈの水素残量表示２０６は、空間部水素残量表示部ＳＤの領域において、水素の急速充填の継続につれて高圧水素ガス残量がさらに増加している状態を、左下がりハッチング領域を図中、左方向に増加させることで表示している。この場合、空間部水素残量表示部ＳＤの左端まで左下がりのハッチング領域が到達しているが、図２Ｄに示すように、空間部水素ガス残量Ｒｓの空間部３６への設定圧力（３５［ＭＰａ］）までの充填状態を表示するものではない。この場合においても、水素吸蔵・吸着材料３４には水素が貯蔵されていないことをユーザに認識させるために、材料部水素残量表示部ＭＤを低速で点滅させている。
【００６０】
図３Ａの「急速充電中−３」と説明している水素残量１０８は、さらに急速充電が継続され水素が空間部３６に高圧水素ガスとして貯蔵され、水素吸蔵・吸着材料３４には未だ貯蔵されていない状態を示している。
【００６１】
図３Ｈの水素残量表示２０８では、急速充填がさらに継続されて高圧水素ガス残量がさらに増加している状態を、空間部水素残量表示部ＳＤが図２Ｈで左端に到達した左下がりハッチング領域が左端で折返し、クロスハッチング領域として今度は右方向に増加させることにより表示している。この場合にも、水素吸蔵・吸着材料３４には水素が貯蔵されていないことをユーザに認識させるために、材料部水素残量表示部ＭＤを低速で点滅させている。
【００６２】
図３Ｂの「急速充電直後」と説明している水素残量１０８は、急速充電がさらに継続された後に、急速充電が終了した直後の状態を示している。水素が空間部３６の貯蔵部分に高圧水素ガスとして設定圧力（３５［ＭＰａ］）まで充填され、水素吸蔵・吸着材料３４には貯蔵されていない状態を示している。
【００６３】
図３Ｉの水素残量表示２１０では、急速充填が終了し高圧水素ガス残量がさらに増加している状態を、空間部水素残量表示部ＳＤのクロスハッチング領域がさらに右方向に増加することにより表示している。この場合にも、水素吸蔵・吸着材料３４には水素が貯蔵されていないことをユーザに認識させるために、材料部水素残量表示部ＭＤをゆっくりと点滅させている。
【００６４】
図３Ｃの「所定時間経過後」と説明している水素残量１１２は、急速充電終了後からタイマ３３による所定時間の計時が終了した状態を示している。水素残量１１２の左側の白色部分は、空間部水素ガス残量Ｒｓの一部が水素吸蔵・吸着材料３４に吸蔵・吸着されて材料部水素残量Ｒｍとして貯蔵された状態を示している。
【００６５】
図３Ｊの水素残量表示２１２では、空間部３６に充填された高圧水素ガスの一部が水素吸蔵・吸着材料３４に吸蔵・吸着された状態を、空間部水素残量表示部ＳＤのクロスハッチング領域が左方向に向かって減少するとともに、充填直後に点滅していた材料部水素残量表示部ＭＤの点滅が止まり、右下がりハッチング領域（水素が水素吸蔵・吸着材料３４に吸蔵されていることを示す領域）に変化していることにより表示している。
【００６６】
この第１実施例では、水素貯蔵タンク３０に充填された高圧水素ガスの一部が水素吸蔵・吸着材料３４に吸収されるというプロセスを空間部水素残量表示部ＳＤで左端から折り返して表示されたクロスハッチング領域を減少させることで表示している。
【００６７】
図３Ｄの「再度急速充填→満充填状態」と説明している水素残量１１４は、高圧水素ガスの一部が水素吸蔵・吸着材料３４に吸収された状態（図３Ｃに示す水素残量１１２の状態）から再度急速充電を施して、空間部３６から水素吸蔵・吸着材料３４に吸収された高圧水素ガス分を充填し、水素貯蔵タンク３０の設定積載水素量が１００［％］満たされた状態を示している。このような経過により図２Ａに示した満充填状態が達成される。
【００６８】
図３Ｋの水素残量表示２１４は、図２Ｅに示した水素残量表示２００と同一であるので、その説明は省略する。
【００６９】
図３Ｅの「残量大」と説明している水素残量１１６は、図３Ｄの満充填状態から水素ガスが燃料電池２６で消費された状態を示している。
【００７０】
図３Ｌの水素残量表示２１６では、満充填を示す濃い外枠の表示は消え、クロスハッチング領域が左方向に減少して水素残量の減少を表示している。クロスハッチング領域の減少に伴い、クロスハッチング領域の下に隠れていた左下がりのハッチング領域が現れてくるが、この表示の変化は水素残量Ｒａの増加を示すものではない。水素残量１１６での航続可能距離（ここでは、４６０ｋｍ）も表示される。
【００７１】
図３Ｆの「残量中−１」と説明している水素残量１１８は、空間部水素ガス残量Ｒｓがさらに減少した状態を示している。
【００７２】
図３Ｍの水素残量表示２１８では、クロスハッチングの領域がさらに減少させることにより空間部水素ガス残量Ｒｓの減少を表示している。水素消費によりクロスハッチングの領域が減少（後退）して左端に達すると、クロスハッチング領域の下に隠れていた左下がりのハッチング領域が現れてくる。航続可能距離（ここでは、３６０ｋｍ）も表示される。
【００７３】
図３Ｇの「残量中−２」と説明している水素残量１２０は、さらに水素が消費されて、水素貯蔵タンク３０内の空間部３６の高圧水素ガスの多くが消費されているが、水素吸蔵・吸着材料３４に貯蔵された水素が水素貯蔵タンク３０に残留している状態を示している。
【００７４】
図３Ｎの水素残量表示２２０では、左下がりのハッチング領域を右方向に減少させることにより空間部水素ガス残量Ｒｓの減少を表示している。この場合にも、航続可能距離（ここでは、１２０ｋｍ）が表示されるとともに、空間部水素ガス残量Ｒｓの全量が消費される可能性があるので、「燃料充填を推奨します。」等、ユーザに燃料充填を促す表示が現れている。
【００７５】
この状態でさらに水素が消費されると、上述した図２Ｂの水素残量１０２の状態と図２Ｆの水素残量表示２０２となる。
【００７６】
以上説明したように上述した燃料電池車両１０に搭載された第１実施例に係る水素残量表示装置１２は、容器内部に水素吸蔵・吸着材料３４と空間部３６とを有し、水素吸蔵・吸着材料３４に水素が貯蔵されるとともに空間部３６に高圧の水素ガスが充填される水素貯蔵タンク３０用の水素残量表示装置１２であって、以下の作用効果（１）−（６）を備える。
【００７７】
（１）表示部９６を備え、この表示部９６上に、空間部３６に充填されている空間部水素ガス残量Ｒｓを表示する空間部水素残量表示部ＳＤと、水素吸蔵・吸着材料３４に貯蔵されている材料部水素残量Ｒｍを表示する材料部水素残量表示部ＭＤを独立して設け分離して表示するようにしているので、ユーザ等に対してそれぞれを別々に認識させることができる。
【００７８】
（２）この場合、図２Ｇ、図２Ｈ、図３Ｈ、図３Ｉに示すように、水素貯蔵タンク３０に水素ガスが急速充填されている間、及び急速充填の終了時には、表示部９６上に、水素吸蔵・吸着材料３４には新たに水素が貯蔵されていないことを点滅表示で知らせるようにしているので、ユーザ等は水素の急速充填時に水素吸蔵・吸着材料３４には水素が貯蔵されていないことを明確に認識できる。
【００７９】
（３）さらに、水素ガスの急速充填終了時からタイマ３３により所定時間を計時した後に、図３Ｊに示すように、水素ガスの急速充填時に空間部３６に充填された水素ガスが水素吸蔵・吸着材料３４に吸蔵・吸着されて貯蔵されたことを、空間部水素残量表示部ＳＤ及び材料部水素残量表示部ＭＤに表示するようにしているので、ユーザ等は、水素貯蔵タンク３０内の高圧水素ガスの圧力が減少しても、圧力減少分の水素が水素吸蔵・吸着材料３４に吸蔵・吸着されて貯蔵され、水素貯蔵タンク３０内に貯蔵されている水素量が変化していないことを認識することができる。
【００８０】
（４）また、表示部９６上に、水素残量Ｒａ（Ｒａ＝Ｒｓ＋Ｒｍ）に基づく航続可能距離を表示する航続可能距離表示部を設けているので、図示はしていないが、ユーザ等は、充填終了時から所定時間が経過して水素残量表示が変化しても、航続可能距離は変化していないことを視認でき、水素貯蔵タンク３０内に貯蔵された水素残量が変化していないことを明確かつ容易に認識することができる。
【００８１】
（５）さらに、図３Ｎに示すように、空間部３６に充填されている水素ガスの残量を表示する空間部水素残量表示部ＳＤの残量表示が所定残量表示より少なくなったときに、表示部９６上に水素ガスの再充填を促す表示をしているので、ユーザ等は、高圧水素ガスの全残量が消費されてしまい水素吸蔵・吸着材料３４に貯蔵されている水素の消費が開始される前に、水素の急速充填を行うことを考慮できる。
【００８２】
（６）さらにまた、図２Ｆに示すように、水素吸蔵・吸着材料３４に貯蔵されている水素の残量を表示する材料部水素残量表示部ＭＤによる残量表示が所定残量表示より少なくなったときに、表示部９６上に水素ガスの再充填が必要であるとの表示をしているので、水素の残量が空になりつつあることをユーザに確実に認識させ、水素の再充填を強く促すことができる。
【００８３】
このように、第１実施例によれば、高圧水素ガスとして充填されている空間部水素ガス残量Ｒｓを空間部水素残量表示部ＳＤに表示する一方、水素吸蔵・吸着材料３４に貯蔵された材料部水素残量Ｒｍを材料部水素残量表示部ＭＤに分離、独立して表示するようにしているので、ユーザ等に対して空間部３６中の空間部水素ガス残量Ｒｓと水素吸蔵・吸着材料３４中の材料部水素残量Ｒｍをそれぞれ独立に認識させることができる。この結果、容器内部に空間部３６と水素吸蔵・吸着材料３４とを有する水素貯蔵タンク３０の水素充填状態（水素貯蔵状態）を理解しやすくすることができる。
【００８４】
第２実施例（第２表示例）の説明
この第２実施例に係る図４Ａ−図４Ｅに示す図は、水素貯蔵タンク３０内に貯蔵された水素残量Ｒａ（空間部水素ガス残量Ｒｓと材料部水素残量Ｒｍ）を模式的に示す説明図であり、図４Ｆ−図４Ｊに示すバーグラフ状の表示は、図４Ａ−図４Ｅに示す図にそれぞれ対応する表示部９６上の水素残量Ｒａ（空間部水素ガス残量Ｒｓと材料部水素残量Ｒｍ）の表示を示す説明図である。
【００８５】
図４Ｆ−図４Ｊに示す水素残量表示部ＨＤは、空間部水素残量表示部ＳＤと、材料部水素残量表示部ＭＤとが分離されて表示される。
【００８６】
材料部水素残量表示部ＭＤの右側には、水素貯蔵タンク３０の供給下限圧力Ｅを示すアルファベットＥが表示されている。また、空間部水素残量表示部ＳＤの左側には、水素貯蔵タンク３０の満充填Ｆを示すアルファベットＦが表示されている。
【００８７】
図４Ａの「満充填状態」と説明している水素残量１２２は、水素貯蔵タンク３０が空間部３６に充填された空間部水素ガス残量Ｒｓと水素吸蔵・吸着材料３４に貯蔵された材料部水素残量Ｒｍによって設定積載水素量が１００［％］満たされた状態、すなわち満充填（フル充填）状態を示している。
【００８８】
図４Ｆの水素残量表示２２２は、設定積載水素量が満充填状態であることを示している。太く表示している外枠は、実際には青色であるが、この満充填状態を表す水素残量表示２２２の下側には、上述した航続可能距離Ｄ、ここでは、具体例として「５６０ｋｍ」を併せて表示している。
【００８９】
図４Ｂの「残量中」と説明している水素残量１２４は、満充填状態から水素が消費されて、水素貯蔵タンク３０内の空間部３６の高圧水素ガスの大部分は消費されているが、高圧水素ガスがまだ水素貯蔵タンク３０内に残留している状態を示している。
【００９０】
図４Ｇは、このときの水素貯蔵タンク３０内の水素残量表示２２４を示している。消費された水素の分だけ左下がりのハッチング領域が白色部に変化し、水素残量Ｒａが左下がりのハッチング領域で表示されている。この場合、航続可能距離、ここでは、「１２０ｋｍ」が表示されるとともに、空間部水素ガス残量Ｒｓの全量が消費される可能性があるので、「燃料充填を推奨します。」等、ユーザに燃料充填を促す表示がなされる。
【００９１】
図４Ｃの「残量小」と説明している水素残量１２６は、空間部水素ガス残量Ｒｓの全量が消費され、さらに材料部水素残量Ｒｍも水素吸蔵・吸着材料３４に貯蔵された水素の一部も消費された水素貯蔵タンク３０内の状態を示している。
【００９２】
図４Ｈは、このときの水素貯蔵タンク３０内の水素残量表示２２６を示している。水素残量表示２２６において、残りの水素は、水素吸蔵・吸着材料３４に貯蔵された水素だけであることを示すために、間隔の狭い右下がりのハッチングの領域で示しているが、実際上、表示色はオレンジ色にしている。同時に、航続可能距離が「４０ｋｍ」であり、「燃料充填が必要です。」という表示もしている。さらに、水素吸蔵・吸着材料３４に貯蔵された水素から消費された水素に相当する量は急速充填終了時には水素貯蔵タンク３０に充填されないことをユーザ等に認識させるため、水素吸蔵・吸着材料３４に貯蔵された水素から消費された水素に相当する外枠部分が点線表示に変化している。
【００９３】
図４Ｄの「急速充電直後」と説明している水素残量１２８は、高圧水素ガスの全量が消費され、さらに水素吸蔵・吸着材料３４に貯蔵された水素の一部も消費された状態のときに、水素を急速充填した直後の水素貯蔵タンク３０内の状態を示している。水素が空間部３６の貯蔵部分に高圧水素ガスとして満充填されて、材料部水素残量Ｒｍの白色部分は、水素吸蔵・吸着材料３４には水素が貯蔵されないことを示している。
【００９４】
図４Ｉの水素残量表示２２８では、黒の実線の外枠で囲まれた左下がりのハッチング領域と右下がりのハッチング領域との和の領域は、急速充填終了時に水素貯蔵タンク３０内に存在する水素の総残量を示している。
【００９５】
実際には、急速充填終了時には、水素吸蔵・吸着材料３４には水素は貯蔵されていない。左端の点線枠内の白部分は、このことをユーザ等に認識してもらうとともに、水素の急速充填終了時には、水素吸蔵・吸着材料３４には新たに水素が貯蔵されないことを示している。
【００９６】
図４Ｅの「所定時間経過後」と説明している水素残量１３０は、急速充電終了後からタイマ３３による所定時間が経過した状態を示している。水素残量１３０の左側の白色部分は、空間部水素ガス残量Ｒｓの一部が水素吸蔵・吸着材料３４に吸蔵・吸着されて貯蔵された状態を示している。
【００９７】
図４Ｊの水素残量表示２３０では、図４Ｉの水素残量表示２２８の点線部が実線表示となり、空間部３６に充填された高圧水素ガスの一部が水素吸蔵・吸着材料３４に吸蔵・吸着されて貯蔵されたこと、及び水素貯蔵タンク３０内の水素の総残量は、急速充填終了時と変化していないことをユーザ等に認識させるようにしている。
【００９８】
この後、３５［Ｍｐａ］まで、急速充填することで、図４Ａに示した「満充填状態」と説明している水素残量１２２となり、図４Ｆに示した水素残量表示２２２となる。
【００９９】
上述した第２実施例に係る水素残量表示装置１２も、上述した第１実施例の（１）−（６）の作用効果を備える。
【０１００】
第３実施例（第３表示例）の説明
この第３実施例に係る図５Ａ−図５Ｅに示す図は、水素貯蔵タンク３０内に貯蔵された水素残量Ｒａ（空間部水素ガス残量Ｒｓと材料部水素残量Ｒｍ）を模式的に示す説明図であり、図５Ｆ−図５Ｊに示すバーグラフ状の表示は、図５Ａ−図５Ｅに示す図にそれぞれ対応する表示部９６上の水素残量Ｒａ（空間部水素ガス残量Ｒｓと材料部水素残量Ｒｍ）の表示を示す説明図である。
【０１０１】
図５Ｆ−図５Ｊに示す水素残量表示部ＨＤは、空間部水素残量表示部ＳＤと、材料部水素残量表示部ＭＤとが分離されて表示される。
【０１０２】
材料部水素残量表示部ＭＤの右側には、水素貯蔵タンク３０の供給下限圧力Ｅを示すアルファベットＥが表示されている。また、空間部水素残量表示部ＳＤの左側には、水素貯蔵タンク３０の満充填Ｆを示すアルファベットＦが表示されている。
【０１０３】
図５Ａの「満充填状態」と説明している水素残量１３２は、水素貯蔵タンク３０が空間部３６に充填された空間部水素ガス残量Ｒｓと水素吸蔵・吸着材料３４に貯蔵された材料部水素残量Ｒｍによって設定積載水素量が１００［％］満たされた状態、すなわち満充填（フル充填）状態を示している。
【０１０４】
図５Ｆは、このときの水素貯蔵タンク３０内の水素残量表示２３２を示している。第２実施例の図４Ｆと同一であるので説明は省略する。
【０１０５】
図５Ｂの「残量中」と説明している水素残量１３４は、満充填状態から水素が消費されて、水素貯蔵タンク３０内の空間部３６の高圧水素ガスの大部分は消費されているが、高圧水素ガスがまだ水素貯蔵タンク３０内に残留している状態を示している。
【０１０６】
図５Ｇは、このときの水素貯蔵タンク３０内の水素残量表示２３４を示している。第２実施例の図４Ｇと同一であるので説明は省略する。
【０１０７】
図５Ｃの「残量小」と説明している水素残量１３６は、空間部水素ガス残量Ｒｓの全量が消費され、さらに材料部水素残量Ｒｍも水素吸蔵・吸着材料３４に貯蔵された水素の一部も消費された水素貯蔵タンク３０内の状態を示している。
【０１０８】
図５Ｈは、このときの水素貯蔵タンク３０内の水素残量表示２３６を示している。第１実施例の図２Ｆと同一であるので説明は省略する。
【０１０９】
図５Ｄの「急速充填直後」と説明している水素残量１３８は、高圧水素ガスの全量が消費され、さらに水素吸蔵・吸着材料３４に貯蔵された水素の一部も消費された状態のときに、水素を急速充填した直後の水素貯蔵タンク３０内の状態を示している。図５Ｄ中、材料部水素残量Ｒｍの白色部分は、水素吸蔵・吸着材料３４には水素が貯蔵されないことを示している。
【０１１０】
図５Ｉは、このときの水素貯蔵タンク３０内の水素残量表示２３８を示している。右下がりのハッチング領域は、急速充填開始時に、水素貯蔵タンク３０内に水素吸蔵・吸着材料３４に貯蔵されて水素として残量していた水素残量を表示している。急速充電終了時には、水素吸蔵・吸着材料３４には水素があらたに貯蔵されないことを表している。すなわち、次に、図５Ｅ、図５Ｊを参照して説明する空間部水素ガス残量Ｒｓの一部が水素吸蔵・吸着材料３４に貯蔵されるまでの間、水素が貯蔵されていないことをユーザに認識させるために、図５Ｉの水素残量表示２３８では、材料部水素残量表示部ＭＤを低速で点滅させている。
【０１１１】
図５Ｅの「所定時間経過後」と説明している水素残量１４０は、急速充電終了後からタイマ３３による所定時間が経過した状態を示している。水素残量１４０の左側の白色部分は、空間部水素ガス残量Ｒｓの一部が水素吸蔵・吸着材料３４に吸蔵・吸着されて貯蔵された状態を示している。
【０１１２】
図５Ｊの水素残量表示２４０では、図５Ｉの水素残量表示２３８の点滅部が右下がりハッチング領域の表示となり、空間部３６に充填された高圧水素ガスの一部が水素吸蔵・吸着材料３４に吸蔵・吸着されて貯蔵されたこと、及び水素貯蔵タンク３０内の水素の総残量は、急速充填終了時と変化していないことをユーザ等に認識させるようにしている。
【０１１３】
この後、３５［Ｍｐａ］まで、急速充填することで、図５Ａに示した「満充填状態」と説明している水素残量１３２となり、図５Ｆに示した水素残量表示２３２となる。
【０１１４】
上述した第３実施例に係る水素残量表示装置１２も、上述した第１実施例の（１）−（６）の作用効果を備える。
【０１１５】
第４実施例（第４表示例）の説明
この第４実施例に係る図６Ａ−図６Ｅに示す図は、水素貯蔵タンク３０内に貯蔵された水素残量Ｒａ（空間部水素ガス残量Ｒｓと材料部水素残量Ｒｍ）を模式的に示す説明図であり、図６Ｆ−図６Ｊに示す面積の大小による表示は、図６Ａ−図６Ｅに示す図にそれぞれ対応する原点１７０を回転中心として所定角度回転する指針１７２を有し、指針１７２は、水素残量表示部ＨＤを構成する空間部水素残量表示部ＳＤの最上端側の目盛１７４と、材料部水素残量表示部ＭＤの最下端側の目盛１８０との間を移動する。空間部水素残量表示部ＳＤと材料部水素残量表示部ＭＤとの境界に、目盛１７８が設けられ、空間部水素残量表示部ＳＤの中間部に、目盛１７６が設けられる。
【０１１６】
材料部水素残量表示部ＭＤの下端側の目盛１８０の傍らには、水素貯蔵タンク３０の供給下限圧力Ｅを示すアルファベットＥが表示されている。また、空間部水素残量表示部ＳＤの右端側の目盛１７４の傍らには、水素貯蔵タンク３０の満充填Ｆを示すアルファベットＦが表示されている。
【０１１７】
図６Ａの「満充填状態」と説明している水素残量１４２は、水素貯蔵タンク３０が空間部３６に充填された空間部水素ガス残量Ｒｓと水素吸蔵・吸着材料３４に貯蔵された材料部水素残量Ｒｍによって設定積載水素量が１００［％］満たされた状態、すなわち満充填（フル充填）状態を示している。
【０１１８】
図６Ｆは、このときの水素貯蔵タンク３０内の水素残量表示２５２を示している。水素貯蔵タンク３０内が満充填された状態の残量を、指針１７２を満充填Ｆを示す目盛１７４の位置に表示し、空間部水素残量表示部ＳＤが左下がりのハッチング領域（実際には、緑色）で示すように、また、材料部水素残量表示部ＭＤが右下がりのハッチング領域（実際には黄色）で示すようにそれぞれ独立に表示している。航続可能距離も、ここでは５６０ｋｍと表示している。
【０１１９】
図６Ｂの「残量中」と説明している水素残量１４４は、満充填状態から水素が消費されて、水素貯蔵タンク３０内の空間部３６の高圧水素ガスの大部分は消費されているが、高圧水素ガスがまだ水素貯蔵タンク３０内に残留している状態を示している。
【０１２０】
図６Ｇは、このときの水素貯蔵タンク３０内の水素残量表示２５４を示している。消費された水素の分だけ左下がりのハッチング領域の面積が減少し、水素残量は、空間部水素残量表示部ＳＤの高圧水素ガスの残量と、材料部水素残量表示部ＭＤの水素吸蔵・吸着材料３４に貯蔵された水素の残量の面積の和として表示している。この場合、航続可能距離が「１２０ｋｍ」と表示されるとともに高圧水素ガスの全量が消費されそうなので燃料充填を促す表示がなされる。
【０１２１】
図６Ｃの「残量小」と説明している水素残量１４６は、空間部水素ガス残量Ｒｓの全量が消費され、さらに材料部水素残量Ｒｍも水素吸蔵・吸着材料３４に貯蔵された水素の一部も消費された水素貯蔵タンク３０内の状態を示している。
【０１２２】
図６Ｈは、このときの水素貯蔵タンク３０内の水素残量表示２３６を示している。残りの水素は、水素吸蔵・吸着材料３４に貯蔵された水素だけであることを示すために、目盛１７８と目盛１８０の間の位置を指針１７２が指すようにしている。この場合にも、航続可能距離「４０ｋｍ」と水素の補充が必要であることを表示している。
【０１２３】
図６Ｄの「急速充電直後」と説明している水素残量１４８は、高圧水素ガスの全量が消費され、さらに水素吸蔵・吸着材料３４に貯蔵された水素の一部も消費された状態のときに、水素を急速充填した直後の水素貯蔵タンク３０内の状態を示している。図６Ｄ中、材料部水素残量Ｒｍの白色部分は、水素吸蔵・吸着材料３４には水素が貯蔵されないことを示している。
【０１２４】
図６Ｉは、このときの水素貯蔵タンク３０内の水素残量表示２５８を示している。点滅部は、急速充電終了時には、水素吸蔵・吸着材料３４には水素があらたに貯蔵されないことを表示している。
【０１２５】
図６Ｅの「所定時間経過後」と説明している水素残量１５０は、急速充電終了後からタイマ３３による所定時間が経過した状態を示している。水素残量１４０の左側の白色部分は、空間部水素ガス残量Ｒｓの一部が水素吸蔵・吸着材料３４に吸蔵・吸着されて貯蔵された状態を示している。
【０１２６】
図６Ｊの水素残量表示２６０では、図６Ｉの水素残量表示２５８の点滅部が白色部の空の表示となり、空間部３６に充填された高圧水素ガスの一部が水素吸蔵・吸着材料３４に吸蔵・吸着されて貯蔵されたこと、及び水素貯蔵タンク３０内の水素の総残量は、急速充填終了時と変化していないことをユーザ等に認識させるようにしている。
【０１２７】
この後、３５［Ｍｐａ］まで、急速充填することで、図６Ａに示した「満充填状態」と説明している水素残量１４２となり、図６Ｆに示した水素残量表示２５２となる。
【０１２８】
上述した第４実施例に係る水素残量表示装置１２も、上述した第１実施例の（１）−（６）の作用効果を備える。
【０１２９】
なお、この発明は、上述の実施形態に限らず、この明細書の記載内容に基づき、種々の構成を採り得ることはもちろんである。
【図面の簡単な説明】
【０１３０】
【図１】この発明の一実施形態に係る水素残量表示装置が適用された燃料電池車両の構成を示すブロック図である。
【図２】図２Ａ−図２Ｄは、水素貯蔵タンク内に貯蔵された水素残量を模式的に示す第１実施例に係る説明図、図２Ｅ−図２Ｈは、図２Ａ−図２Ｄに示す各図の水素残量にそれぞれ対応する水素残量表示装置の表示部上の表示を示す説明図である。
【図３】図３Ａ−図３Ｇは、水素貯蔵タンク内に貯蔵された水素残量を模式的に示す第１実施例に係る残りの説明図、図３Ｈ−図３Ｎは、図３Ａ−図３Ｇに示す各図の水素残量にそれぞれ対応する水素残量表示装置の表示部上の表示を示す説明図である。
【図４】図４Ａ−図４Ｅは、水素貯蔵タンク内に貯蔵された水素残量を模式的に示す第２実施例に係る説明図、図４Ｆ−図４Ｊは、図４Ａ−図４Ｅに示す各図の水素残量にそれぞれ対応する水素残量表示装置の表示部上の表示を示す説明図である。
【図５】図５Ａ−図５Ｅは、水素貯蔵タンク内に貯蔵された水素残量を模式的に示す第３実施例に係る説明図、図５Ｆ−図５Ｊは、図５Ａ−図５Ｅに示す各図の水素残量にそれぞれ対応する水素残量表示装置の表示部上の表示を示す説明図である。
【図６】図６Ａ−図６Ｅは、水素貯蔵タンク内に貯蔵された水素残量を模式的に示す第４実施例に係る説明図、図６Ｆ−図６Ｊは、図６Ａ−図６Ｅに示す各図の水素残量にそれぞれ対応する水素残量表示装置の表示部上の表示を示す説明図である。
【符号の説明】
【０１３１】
１０…燃料電池車両                    １２…水素残量表示装置
３０…水素貯蔵タンク                  ３３…タイマ
３４…水素吸蔵・吸着材料              ３６…空間部
９６…表示部                          ＨＤ…水素残量表示部
ＭＤ…材料部水素残量表示部            ＳＤ…空間部水素残量表示部
【図１】
2008106817.tif 000003
【図２】
2008106817.tif 000004
【図３】
2008106817.tif 000005
【図４】
2008106817.tif 000006
【図５】
2008106817.tif 000007
【図６】
2008106817.tif 000008